(57)【要約】【課題】少ない部品点数で防水性能の信頼性が高く、収納する電気部品単体の取付けピッチと互換性がある電気部品収納ケースを実現し、部品点数を削減し、組み立て時間を大幅に削減する。【解決手段】電気部品収納ケースは、収納ケース本体２１０とパッキン２２０とを備える。収納ケース本体２１０は電気部品３００の本体部分を収納する。パッキン２２０は、収納ケース本体２１０から外にはみ出す電気部品３００の本体部を覆うと共に収納ケース本体２１０の開口部を閉塞し、貫通孔には電気部品３００に接続され、電線３２２が通り、収納ケース本体２１０、電線周りおよび電気部品３００の本体部を密閉する。電気部品収納ケースは、電気部品３００の取付穴にてネジ３３１またはナット３３２により器具本体に固定され密閉される。【選択図】図６
2011044409.tif 000002
【特許請求の範囲】
【請求項１】
本体部と前記本体部の端部に設けられた取付穴とを有する電気部品のうち前記電気部品の本体部を収納する収納ケース本体であって前記電気部品の取付穴を外にはみ出す開口部を有する収納ケース本体と、
前記収納ケース本体から外部に突出する前記電気部品の取付穴を覆うと共に前記収納ケース本体の前記開口部を閉塞するパッキンと
を備えたことを特徴とする電気部品収納ケース。
【請求項２】
前記収納ケース本体は、筒状を成し、筒状内部に前記電気部品の本体部を収納し、筒状端部に前記開口部を有し、
前記パッキンは、前記収納ケース本体の筒状端部に被さる
ことを特徴とする請求項１記載の電気部品収納ケース。
【請求項３】
前記パッキンは、前記電気部品の前記取付部に被さり、前記電気部品の前記取付穴が位置する部分に開口穴を有する
ことを特徴とする請求項１または請求項２記載の電気部品収納ケース。
【請求項４】
前記電気部品は、電線を接続する速結端子を前記本体部に有し、
前記パッキンは、前記電気部品の前記取付部に被さり、前記速結端子に電線を通す貫通孔を有する
ことを特徴とする請求項１〜請求項３いずれかに記載の電気部品収納ケース。
【請求項５】
前記パッキンは、前記貫通孔を透過する透過材を材料とする
ことを特徴とする請求項４記載の電気部品収納ケース。
【請求項６】
前記パッキンは、前記収納ケース本体と接する部分に凸部を有する
ことを特徴とする請求項１〜請求項５いずれかに記載の電気部品収納ケース。
【請求項７】
前記パッキンは、前記収納ケース本体と接する部分を除く少なくともいずれかの部分に電気部品収納ケース内の圧力を調整する圧力調整部を有する
ことを特徴とする請求項１〜請求項６いずれかに記載の電気部品収納ケース。
【請求項８】
前記パッキンは、前記収納ケース本体と接する部分より薄い部分を前記圧力調整部として有する
ことを特徴とする請求項７記載の電気部品収納ケース。
【請求項９】
前記パッキンは、前記電気部品の取付部を覆う部分にアース金具がモールドされ、前記アース金具が前記電気部品の取付部と導通する
ことを特徴とする請求項１〜請求項８いずれかに記載の電気部品収納ケース。
【請求項１０】
請求項１〜請求項９いずれかに記載の電気部品収納ケースと、
前記電気部品収納ケースに電気部品として収納される点灯装置と、
前記電気部品収納ケースと前記点灯装置により点灯されるランプとが取り付けられる器具本体と
を備えたことを特徴とする照明器具。
【発明の詳細な説明】
【技術分野】
【０００１】
本発明は、電気部品を収納する電気部品収納ケースおよび電気部品収納ケースを用いる照明器具に関するものである。
【背景技術】
【０００２】
軒下等の雨水がかかる場所や湿度の高い環境下で使用される照明器具において、点灯装置等の電気部品を保護する目的で、防水構造の電気部品収納ケースが提供されている（特許文献１）。
【先行技術文献】
【特許文献】
【０００３】
【特許文献１】特開平０５−２９１７５９号公報
【発明の概要】
【発明が解決しようとする課題】
【０００４】
従来の電気部品収納ケースには、例えば、以下のような課題がある。
（１）筒状のケース、ケース両端でケースの開口部の外周および電線周りを密閉するパッキン、このパッキンを押え、照明器具に取り付けるための取付金具を有する構造で、電気部品に結線した電線をパッキンに通線したり、電気部品収納ケースの両端に取付金具をねじで固定するなど、作業が煩雑であり、組み立てに時間を要した。
（２）通常、電気部品収納ケースが取り付けられる照明器具本体は、収納されている電気部品が取り付けられている一般環境用照明器具本体あるいは本体穴加工を流用したりするが、収納した電気部品の取付穴はケースで覆われるため、電気部品の取付穴ピッチに合わせて照明器具本体に加工されている取付穴に電気部品収納ケースを取り付けることができない。電気部品収納ケースを照明器具の本体に取り付けるためには、電気部品収納ケースの取付穴と照明器具本体の取付穴とを同ピッチにするための取付構造を追加したり、または電気部品収納ケースの取付穴ピッチに合わせて、照明器具本体に取付穴を追加加工したりする必要があった。
【０００５】
本発明は、例えば、パッキン押え兼取付用金具を有さず、部品点数を削減し、組み立て時間を大幅に削減でき、防水性能の信頼性が高い電気部品収納ケースを提供できるようにすることを目的とする。また例えば、収納する電気部品単体の取付けピッチと互換性がある電気部品収納ケースを提供できるようにすることを目的とする。
また例えば、電気部品が速結端子を有する場合、電気部品収納ケースの組み立て後に電気部品に結線でき、結線状況を目視確認できる電気部品収納ケースを提供できるようにすることを目的とする。
【課題を解決するための手段】
【０００６】
本発明の電気部品収納ケースは、
本体部と前記本体部の端部に設けられた取付穴とを有する電気部品のうち前記電気部品の本体部を収納する収納ケース本体であって前記電気部品の取付穴を外にはみ出す開口部を有する収納ケース本体と、
前記収納ケース本体から外部に突出する前記電気部品の取付穴を覆うと共に前記収納ケース本体の前記開口部を閉塞するパッキンとを備える。
【発明の効果】
【０００７】
本発明によれば、防水性能の信頼性が高い電気部品収納ケースとすることができる。さらに、収納する電気部品の取付けピッチと互換性がある電気部品収納ケースを提供することができる。
【図面の簡単な説明】
【０００８】
【図１】実施の形態１における照明器具１００の分解斜視図。
【図２】実施の形態１における照明器具１００の組み立て後の斜視図。
【図３】実施の形態１における収納ケース本体２１０と電気部品３００とを示す三面図。
【図４】実施の形態１における電気部品３００を収納した収納ケース本体２１０を示す斜視図。
【図５】実施の形態１における電気部品収納ケース２００の分解図。
【図６】実施の形態１における組み立て後の電気部品収納ケース２００を示す三面図。
【図７】実施の形態１における組み立て後の電気部品収納ケース２００のＡ−Ａ断面図。
【図８】実施の形態１における組み立て後の電気部品収納ケース２００を示す斜視図。
【発明を実施するための形態】
【０００９】
実施の形態１．
点灯装置を収納する電気部品収納ケースと、この電気部品収納ケースが取り付けられる照明器具について以下に説明する。
点灯装置は電気部品の一例である。
【００１０】
図１は、実施の形態１における照明器具１００の分解斜視図である。
図２は、実施の形態１における照明器具１００の組み立て後の斜視図である。
実施の形態１における照明器具１００について、図１および図２に基づいて以下に説明する。
【００１１】
照明器具１００は、器具本体１１０、器具本体１１０の両端に取り付けられるソケット１２０、器具本体１１０に取り付けられてランプ１４０の光を反射する反射板１３０およびソケット１２０に取り付けられるランプ１４０により組み立てられる。
【００１２】
ランプ１４０を点灯する点灯装置を収納した電気部品収納ケース２００は、器具本体１１０に取り付けられ、反射板１３０により覆われる。
【００１３】
電気部品収納ケース２００は点灯装置を収納するケースであり、例えば、水分や埃などの付着により点灯装置が故障することを防ぐ。
【００１４】
図３は、実施の形態１における収納ケース本体２１０と電気部品３００とを示す三面図である。
図３に示すように、電気部品収納ケース２００の本体（収納ケース本体２１０）の全長は電気部品３００の取付穴ピッチより短い。
【００１５】
電気部品３００（点灯装置）は、器具本体１１０に取り付けるための本体部３１０を有し、本体部３１０にはネジおよびナットが取り付けられる取付穴３１１が設けられている。
速結端子３２０は、電線を差し込む電線挿入口３２１を有し、電線挿入口３２１への差し込みにより電線が接続される。
【００１６】
収納ケース本体２１０は、内部が中空で両端に開口部２１１を有する筒状体である。
電気部品３００の本体部が収納ケース本体２１０に収納されると、取付穴３１１は、収納ケース本体２１０の開口部２１１から外にはみ出す。
【００１７】
収納ケース本体２１０は、例えば、アルミニウムや合成樹脂材料などの硬質の材料を用いて押出し成形により製作される。
収納ケース本体２１０の外周の角には、収納ケース本体２１０の両端に取り付けられるパッキンとの密着性を良くするために、角Ｒ２１２が設けられている。
【００１８】
図４に電気部品３００を収納した収納ケース本体２１０の斜視図を示す。
【００１９】
図５は、実施の形態１における電気部品収納ケース２００の分解図である。
実施の形態１におけるパッキン２２０について、図５に基づいて以下に説明する。
【００２０】
図５において、収納ケース本体２１０に収納された電気部品３００を透過して示している。
また、パッキン２２０の外観に加えてパッキン２２０の拡大断面を示している。
【００２１】
電気部品収納ケース２００は、電気部品３００の本体部を収納する収納ケース本体２１０と、電気部品３００の取付穴３１１を覆うと共に収納ケース本体２１０の開口部２１１を閉塞するパッキン２２０とを備える。
【００２２】
パッキン２２０は、収納ケース本体２１０の両端に勘合され、収納ケース本体２１０の開口部２１１、電気部品３００の速結端子３２０に接続される電線周りおよび電気部品３００の取付穴３１１を密閉する。
パッキン２２０は、例えば、シリコンゴムなどの伸縮材を材料とする。
【００２３】
パッキン２２０は、収納ケース本体２１０の端部に被さって収納ケース本体２１０の端部外周と接する部分に凸部２２１を複数有する。各凸部２２１はパッキン２２０の内面一周にわたって設けられ、パッキン２２０は各凸部２２１により収納ケース本体２１０の端部外周と密着する。
【００２４】
パッキン２２０は、電気部品３００の速結端子３２０に接続される電線３２２を通す貫通孔２２２を有し、貫通孔２２２の内周に凸部２２３を複数有する。貫通孔２２２は、パッキン２２０が電気部品３００の取付部３１０に被せられたときに速結端子３２０の電線挿入口３２１が位置する部分に、空けられている。電線３２２はパッキン２２０の貫通孔２２２を通して電気部品３００の電線挿入口３２１に挿入される。各凸部２２３は貫通孔２２２の内面一周にわたって設けられ、パッキン２２０は貫通孔２２２の各凸部２２３により電線３２２の被覆と密着する。
【００２５】
パッキン２２０は、電気部品３００の本体部３１０に被せられたときに電気部品３００の取付穴３１１が位置する部分に、取付穴２２４が設けられている。
【００２６】
片方のパッキン２２０は、Ｌ字状のアース金具２３０が電気部品３００の本体部３１０を覆う部分に、モールドされる。アース金具２３０は、Ｌ字状の屈曲部に凸部２３１を有し、取付穴２３２、Ｌ字状の一端部にアースネジ取付穴２３３を有する。アース金具２３０の取付穴２３２の位置はパッキン２２０の取付穴２２４の位置と重なる。凸部２３１の先端はモールドされておらず、電気部品３００と接して導通する。
【００２７】
ネジ３３１は位置合わせされた電気部品３００の取付穴３１１、パッキン２２０の取付穴２２４およびアース金具２３０の取付穴２３２に挿通され、ナット３３２により固定される。
【００２８】
パッキン２２０は、収納ケース本体２１０の端部外周に接する本体接部（凸部２２１が設けられた部分）と電気部品３００の本体部３１０に接する部品接部（取付穴２２４が設けられた部分）と電線３２２に接する電線接部（貫通孔２２２が設けられた部分）とを除く少なくともいずれかの部分に、電気部品収納ケース２００内の圧力を調整する圧力調整部２４０を有する。パッキン２２０がケース内部の気密性を高めることにより、電気部品３００の発熱でケース内部の温度が上昇し、ケース内部の空気が膨張し、ケース内部の空気圧が高まり、パッキン２２０の各接部（本体接部、部品接部、電線接部）のシール機能（密着性）が弱まることを防ぐためである。
例えば、パッキン２２０の本体接部と電線接部との間に位置する部分に圧力調整部２４０を設ける。
例えば、圧力調整部２４０を各接部が設けられた部分より薄くすることにより、ケース内部の空気が膨張したときに圧力調整部２４０が変形し、各接部が設けられた部分にかかる圧力が高まることを防ぐ。
【００２９】
パッキン２２０に半透明のシリコン材料などを用いてパッキン２２０に透過性を持たせることにより、パッキン２２０を電気部品３００に被せた状態で電線３２２の挿通状況を目視確認でき、電気部品３００の速結端子３２０への電線３２２の結線が容易になる。
【００３０】
図６は、実施の形態１における組み立て後の電気部品収納ケース２００を示す三面図であり、組み立て後の電気部品収納ケース２００の上視図、側断面図および正面断面図を示す。
図７は、実施の形態１における組み立て後の電気部品収納ケース２００のＡ−Ａ断面図である。
【００３１】
図６および図７に示すように、パッキン２２０は、電気部品３００の本体部３１０および収納ケース本体２１０の端部に覆い被せられ、貫通孔２２２から電気部品３００の速結端子３２０に電線３２２が挿入され、収納ケース本体２１０、電線周りおよび電気部品３００の本体部３１０を密閉する。
電気部品収納ケース２００は、電気部品３００の本体部３１０に挿入されたネジ３３１により器具本体１１０に固定される。
【００３２】
図８に組み立て後の電気部品収納ケース２００の斜視図を示す。
【００３３】
実施の形態１において、例えば、以下のような電気部品収納ケース２００について説明した。
電気部品収納ケースは、収納ケース本体とパッキンとを備える。
収納ケース本体は、両端に開口部を有し、収納する電気部品の取付穴ピッチよりも全長が短い。
パッキンは、収納ケース本体の開口部の外周、電気部品に結線された電線の周囲および電気部品の取付部を閉塞する。
【００３４】
電気部品収納ケースは、収納する電気部品が速結端子を有する場合、電気部品収納ケース組み立て後に電線が結線でき、また結線の状況をケース外より確認できる。
【００３５】
電気部品収納ケースは、少ない部品点数で防水性能の信頼性が高く、収納する電気部品単体の取付けピッチと互換性があり、ケース組み立て後に電気部品への結線および結線状況の目視確認ができる。これにより、組み立て時間の大幅な削減が実現できる。
【符号の説明】
【００３６】
１００  照明器具、１１０  器具本体、１２０  ソケット、１３０  反射板、１４０  ランプ、２００  電気部品収納ケース、２１０  収納ケース本体、２１１  開口部、２１２  角Ｒ、２２０  パッキン、２２１  凸部、２２２  貫通孔、２２３  凸部、２２４  取付穴、２３０  アース金具、２３１  凸部、２３２  取付穴、２３３  アースネジ取付穴、２４０  圧力調整部、３００  電気部品、３１０  本体部、３１１  取付穴、３２０  速結端子、３２１  電線挿入口、３２２  電線、３３１  ネジ、３３２  ナット。
【図１】
2011044409.tif 000003
【図２】
2011044409.tif 000004
【図３】
2011044409.tif 000005
【図４】
2011044409.tif 000006
【図５】
2011044409.tif 000007
【図６】
2011044409.tif 000008
【図７】
2011044409.tif 000009
【図８】
2011044409.tif 000010